(57)【要約】【課題】携帯可能な記憶媒体に書換え自在に記憶された金額データを商品販売データ処理装置で増額できるようにして、記憶媒体の金額データを増額させるための専用装置を不要にする。【解決手段】金額データを書換え自在に記憶する携帯可能な記憶媒体に記憶されているデータの読取り及び当該記憶媒体へのデータの書込みを行う媒体読み書き手段と、サービス券からコードを取得するコード取得手段とを設ける。そして、コード取得手段によりサービス券のコードを取得すると、そのコードに基づいて当該サービス券に設定された入金額を取得し、媒体読み書き手段を動作させて、記憶媒体の金額データを、その取得した入金額を加算した金額のデータに書換える。【選択図】    図１１
2004206436.tif 000002
【特許請求の範囲】
【請求項１】
入力された商品情報に基づいて当該商品の販売データを処理する商品販売データ処理装置において、
携帯可能な記憶媒体に書換自在に記憶されている金額データの読取り及び当該記憶媒体への金額データの書込みを行う媒体読み書き手段と、
入金額が設定されたサービス券からコードを取得するコード取得手段と、
このコード取得手段により前記サービス券から取得したコードに基づいて当該サービス券に設定された入金額を取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項２】
前記コード取得手段により取得したコードに基づいてそのコードを取得した前記サービス券が有効期限切れか否かを判断する有効期限判断手段を設け、
前記入金処理手段は、前記有効期限判断手段が有効期限切れでないと判断したことを条件に前記記憶媒体の金額データを書換えることを特徴とする請求項１記載の商品販売データ処理装置。
【請求項３】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券の種類別に入金額のデータを記憶するサービス券記憶手段と、
前記サービス券を選択する券選択手段と、
この券選択手段により選択されたサービス券の入金額を前記サービス券記憶手段により記憶されたデータから取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項４】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券の種類別に入金額のデータとともに有効期限のデータを記憶するサービス券記憶手段と、
前記サービス券を選択する券選択手段と、
この券選択手段により選択されたサービス券の入金額を前記サービス券記憶手段により記憶された入金額データから取得する入金額取得手段と、
前記券選択手段により選択されたサービス券が有効期限切れか否かを前記サービス券記憶手段により記憶された有効期限データから判断する有効期限判断手段と、
この有効期限判断手段が有効期限切れでないと判断したことを条件に前記媒体読み書き手段により前記記憶媒体の金額データを前記入金額取得手段により取得した入金額を加算した金額のデータに書換える入金処理手段とを具備したことを特徴とする商品販売データ処理装置。
【請求項５】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券の種類別に入金額のデータとともに有効期限のデータを記憶するサービス券記憶手段と、
このサービス券記憶手段により記憶された有効期限データから有効期限内の前記サービス券を表示するサービス券表示手段と、
このサービス券表示手段により表示された前記サービス券を選択する券選択手段と、
この券選択手段により選択されたサービス券の入金額を前記サービス券記憶手段により記憶された入金額データから取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項６】
入力された商品情報に基づいて当該商品の販売データを処理する商品販売データ処理装置において、
携帯可能な記憶媒体に書換自在に記憶されている金額データの読取り及び当該記憶媒体への金額データの書込みを行う媒体読み書き手段と、
入金額が設定されたサービス券データからコードを取得するコード取得手段と、
このコード取得手段により前記サービス券データから取得したコードに基づいて当該サービス券データに設定された入金額を取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項７】
前記コード取得手段により取得したコードに基づいてそのコードを取得した前記サービス券データが有効期限切れか否かを判断する有効期限判断手段を設け、
前記入金処理手段は、前記有効期限判断手段が有効期限切れでないと判断したことを条件に前記記憶媒体の金額データを書換えることを特徴とする請求項６記載の商品販売データ処理装置。
【請求項８】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券データの種類別に入金額のデータを記憶するサービス券記憶手段と、
前記サービス券データを選択する券選択手段と、
この券選択手段により選択されたサービス券データの入金額を前記サービス券記憶手段により記憶されたデータから取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項９】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券データの種類別に入金額のデータとともに有効期限のデータを記憶するサービス券記憶手段と、
前記サービス券データを選択する券選択手段と、
この券選択手段により選択されたサービス券データの入金額を前記サービス券記憶手段により記憶された入金額データから取得する入金額取得手段と、
前記券選択手段により選択されたサービス券データが有効期限切れか否かを前記サービス券記憶手段により記憶された有効期限データから判断する有効期限判断手段と、
この有効期限判断手段が有効期限切れでないと判断したことを条件に前記媒体読み書き手段により前記記憶媒体の金額データを前記入金額取得手段により取得した入金額を加算した金額のデータに書換える入金処理手段とを具備したことを特徴とする商品販売データ処理装置。
【請求項１０】
入力された商品情報に基づいて当該商品の販売データを処理する商品販売データ処理装置において、
携帯可能な記憶媒体に記憶されている書換可能な金額データの読取り及び当該記憶媒体への金額データの書込みを行う媒体読み書き手段と、
サービス券データの種類別に入金額のデータとともに有効期限のデータを記憶するサービス券記憶手段と、
このサービス券記憶手段により記憶された有効期限データから有効期限内の前記サービス券データを表示するサービス券表示手段と、
このサービス券表示手段により表示された前記サービス券データを選択する券選択手段と、
この券選択手段により選択されたサービス券データの入金額を前記サービス券記憶手段により記憶された入金額データから取得する入金額取得手段と、
前記媒体読み書き手段により前記記憶媒体の金額データを前記入金額取得手段により取得した入金額を加算した金額のデータに書換える入金処理手段とを具備したことを特徴とする商品販売データ処理装置。
【請求項１１】
前記入金額取得手段により取得した入金額を表示する入金額表示手段と、この入金額表示手段により表示された入金額の入金を承認する入金承認手段とをさらに具備し、
前記入金処理手段は、前記入金承認手段により前記入金額の入金が承認されたことを条件に、前記媒体読み書き手段により前記記憶媒体の金額データを前記入金額取得手段により取得した入金額を加算した金額のデータに書換えることを特徴とする請求項１乃至１０のいずれかに記載の商品販売データ処理装置。
【請求項１２】
前記媒体読み書き手段は、携帯可能な記憶媒体に書換自在に記憶されている金額データの読取り及び当該記憶媒体への金額データの書込みを無線通信により行うものであることを特徴とする請求項１乃至１０のいずれかに記載の商品販売データ処理装置。
【発明の詳細な説明】
【０００１】
【発明の属する技術分野】
本発明は、ＩＣカード，携帯電話等の携帯可能な記憶媒体を利用したプリペイド決済システムにおけるＰＯＳ（Point Of Sales）端末，電子式キャッシュレジスタ等の商品販売データ処理装置に関する。
【０００２】
【従来の技術】
近年、例えば非接触型（電気的，磁気的，光学的等）のＩＣカードに書換自在に記憶された金額データでのプリペイド決済を可能にした店舗システムが提案されている（例えば、特許文献１参照）。本決済システムをコンビニエンスストア等のチェーン店舗に適用した場合の概略構成を図２１に示す。本決済システムは、各チェーン店舗にそれぞれ構築される店舗システム１と、各チェーン店舗を統轄する店舗本部に設置されるホストコンピュータ２と、非接触型ＩＣカードを管理するカード管理会社に設置されるホストコンピュータ３とによって構成される。
【０００３】
店舗システム１は、商品販売データを売上処理する複数台のＰＯＳ端末１１と、各ＰＯＳ端末の上位機として機能するストアコントローラ１２と、カード決済端末１３と、カード入金機１４と、ルータ１５とからなる。各ＰＯＳ端末１１は、ストアコントローラ１２と第１のＬＡＮ（Local Area Network）１６で接続されている。ストアコントローラ１２は、店舗本部のホストコンピュータ２と第１のＷＡＮ（Wide Area Network）４で接続されている。
【０００４】
各ＰＯＳ端末１１は、それぞれ伝送線１７を介してカード決済端末１３に接続されている。カード決済端末１３は、ルータ１５と第２のＬＡＮ１８で接続されている。第２のＬＡＮ１８にはカード入金機１４も接続されている。ルータ１５は、カード管理会社のホストコンピュータ３と第２のＷＡＮ５で接続されている。カード管理会社のホストコンピュータ３は、店舗本部のホストコンピュータ２と専用の通信回線６で接続されている。
【０００５】
カード決済端末１３及びカード入金機１４は、非接触型ＩＣカード７と無線通信によりデータをやり取りするカード無線通信部８をそれぞれ装備している。非接触型ＩＣカード７のメモリには、商取引の代金支払に用いる金額データが書換え可能に記憶される他、カード毎に異なるカード識別情報としてのカード番号が固定的に記憶されている。以下、非接触型ＩＣカード７を決済カードと称する。
【０００６】
かかる構成において、ＰＯＳ端末１１には、決済カード７でのプリペイド決済を宣言するためのカードキーが設けられている。そして、一商取引として売上げる商品の販売データを売上処理した後、カードキーが押下されると、ＰＯＳ端末１１は、当該一商取引として売上げた商品の代金に相当する金額データをカード決済端末１３に通知する。この通知を受けたカード決済端末１３は、決済カード７とデータのやり取りを行って、当該決済カード７に記憶された金額データから商品代金に相当する金額分を減算する。そして、減算し終えると、ＰＯＳ端末１１に決済完了を通知する。この通知を受けたＰＯＳ端末１１は、当該商取引のレシートを発行する。また、当該商取引の代金が決済カード７で支払われたことを店舗本部のホストコンピュータ２にストアコントローラ１２を介して通知する。ホストコンピュータ２は、決済カード７で支払われた商取引の代金を集計する。この代金は、後日、手数料等が引かれてカード管理会社から支払われる。
【０００７】
一方、カード入金機１４には、現金が投入される現金投入部と、この投入部から投入された現金を収納する現金収納部とが設けられている。そして、現金投入部から現金が投入されると、カード入金機１４は決済カード７とデータのやり取りを行って、当該決済カード７に記憶された金額データに投入された現金の金額分を加算する。現金収納部に収納された現金は、カード管理会社によって回収される。
【０００８】
カード管理会社のホストコンピュータ３は、各店舗のカード決済端末１３及びカード入金機１４から処理データを第２のＷＡＮ５を介して収集する。そして、収集したデータ、つまりカード決済端末１３により決済カード７から減算された金額データやカード入金機１４により決済カード７に加算された金額データを分析して、決済カード７の利用状況等を管理する。
【０００９】
このような決済システムを構成することにより、決済カード７を入手した消費者は、カード入金機１４を利用してその決済カード７に入金できる。そして、この決済カード７の金額データで店舗で購入した商品の代金を支払うことができる。また、決済カード７の金額データが不足した場合には、再びカード入金機１４を利用して入金することにより、金額データを増額できる。
【００１０】
【特許文献１】
特開平１０−１８８０９１号公報
【００１１】
【発明が解決しようとする課題】
しかしながら従来、上記のようなプリペイド決済システムを導入しようとした場合には、各店舗でＰＯＳ端末１１とは別にカード決済端末１３やカード入金機１４が必要であった。特に、カード入金機１４は、決済では使用されないものの決済カード７の金額データが不足した顧客が店内で現金をチャージできるのでカードの使い勝手が良好となり、カード利用客へのサービス性アップに繋がる。このため、店舗内にカード決済端末１３とカード入金機１４とを設置してカード管理会社との回線を確保しなければならず、設備コストの負担増や設置スペースの確保等の問題を解決しなければならなかった。
【００１２】
本発明はこのような事情に基づいてなされたもので、その目的とするところは、記憶媒体に書換え自在に記憶された金額データを増額することができ、記憶媒体の金額データを増額させるための専用装置を不要にできる商品販売データ処理装置を提供しようとするものである。
【００１３】
【課題を解決するための手段】
本発明は、入力された商品情報に基づいて当該商品の販売データを売上処理する商品販売データ処理装置（例えばＰＯＳ端末，電子式キャッシュレジスタ）において、携帯可能な記憶媒体（例えばＩＣカード，携帯電話）に書換自在に記憶されている金額データの読取り及び当該記憶媒体への金額データの書込みを行う媒体読み書き手段と、入金額が設定されたサービス券からコードを取得するコード取得手段とを設ける。そして、コード取得手段によりサービス券のコードを取得すると、そのコードに基づいて当該サービス券に設定された入金額を取得し、媒体読み書き手段を動作させて、記憶媒体の金額データを、その取得した入金額を加算した金額のデータに書換えるようにしたものである。
【００１４】
このような構成を有する本発明であれば、コード取得手段によってサービス券のコードを取得することで、そのサービス券に設定された入金額が記憶媒体の金額データに加算される。したがって、記憶媒体の金額データを増額させるための専用装置が不要となる。
【００１５】
【発明の実施の形態】
以下、本発明の一実施の形態を図１〜図２０を用いて説明する。
なお、この実施の形態は、携帯可能な記憶媒体として非接触型ＩＣカードを用い、この非接触型ＩＣカードに書換自在に記憶された金額データでのプリペイド決済を可能にした店舗システム１のＰＯＳ端末１１に本発明を適用した場合であり、非接触型ＩＣカードを決済カード７と称する。
【００１６】
図１は本決済システムの概略構成を示す模式図であり、図２１と同一部分には同一符号を付している。すなわち本実施の形態では、店舗システム１の一部を構成する各ＰＯＳ端末１１に、決済カード７と無線通信によりデータをやり取りするカード無線通信部８をそれぞれ設けている。そして、各ＰＯＳ端末１１からカード管理会社のホストコンピュータ３までの通信経路を、ＬＡＮ１６，ストアコントローラ１２，ＷＡＮ４，店舗本部のホストコンピュータ２及び通信回線６を経由して確立しており、従来の店舗システム１からカード決済端末１３，カード入金機１４，ルータ１５等を不要にしている。
【００１７】
図２はＰＯＳ端末１１の外観を示す斜視図であり、背面右側から見た状態を示している。当該ＰＯＳ端末１１には、正面側にキーボード２１、正面タッチパネル２２、バーコードスキャナ２３の載置部２４等が設けられており、背面側に客面タッチパネル２５とカード載置部２６とが設けられている。カード載置部２６は、背面側から見て客面タッチパネル２５の右側部に設けられている。カード載置部２６には、決済カード７と無線通信を行うカード無線通信部８が埋設されており、このカード載置部２６に置かれた決済カード７とカード無線通信部８との間で無線通信が行われるようになっている。
【００１８】
図３はＰＯＳ端末１１の要部構成を示すブロック図である。ＰＯＳ端末１１には、制御部本体としてＣＰＵ（Central Processing Unit）３１が設けられている。そして、このＣＰＵ３１に、アドレスバス，データバス等のバスライン３２を介して、プログラム等の固定的データが予め格納されたＲＯＭ（Read Only Memory）３３、演算に必要なワークエリア等が形成されるＲＡＭ（Random Access Memory）３４、現在の日付及び時刻を計時する時計部３５の他、通信インタフェース３６，スキャナインタフェース３７，Ｉ／Ｏポート３８，キーボードコントローラ３９，第１のタッチパネルコントローラ４０，第２のタッチパネルコントローラ４１，プリンタコントローラ４２，決済カードコントローラ４３等が接続されている。
【００１９】
通信インタフェース３６にはＬＡＮ１６が接続されており、このＬＡＮ１６を介してストアコントローラ１２との間でデータの送受信が行われる。スキャナインタフェース３７には前記バーコードスキャナ２３が接続されており、このスキャナ２３で読取られたバーコードデータが入力される。
【００２０】
Ｉ／Ｏポート３８には、モードスイッチ４４からの信号が入力される。また、現金などを収容するためのドロワ４５に対して、Ｉ／Ｏポート３８から開放指令信号が出力される。モードスイッチ４４は、「登録」，「点検」，「精算」，「設定」等の各種業務モードを選択しその実行をＣＰＵ３１に指令するコントロールスイッチで、例えば鍵にて切替操作される。因みに、「登録」とは、一商取引として売上げる商品の情報入力により当該商品の販売データをメモリに売上処理し、一商取引の締めが宣言されると、当該一商取引として売上げた商品の代金を支払処理する業務のモードであり、「点検」とは、登録業務によってメモリに売上処理されたデータを点検レポートとして出力する業務のモードであり、「精算」とは、点検業務と同様にメモリに売上処理されたデータをレポート出力した後、メモリをクリアする業務のモードであり、「設定」とは、各種業務を実行する上で必要となるデータを予めメモリに設定する業務のモードである。
【００２１】
第１のタッチパネルコントローラ４０は、正面タッチパネル２２の画面表示を制御するとともに、この正面タッチパネル２２のタッチ入力を検知する。第２のタッチパネルコントローラ４１は、客面タッチパネル２５の画面表示を制御するとともに、この客面タッチパネル２５のタッチ入力を検知する。正面タッチパネル２２には、オペレータに対する画面データが表示される。客面タッチパネル２５には、買物客に対する画面データが表示される。
【００２２】
プリンタコントローラ４２は、ＰＯＳ端末１１に内蔵されたプリンタ４６を制御し、商取引毎にその取引の明細を記したレシートの印字及び発行等を行わせるものである。レシートは、ＰＯＳ端末１１の正面側に形成されたレシート発行口（不図示）から発行される。
【００２３】
決済カードコントローラ４３は、カード無線通信部８の無線通信を制御して、カード載置部２６に置かれた決済カード７からデータを読取ったり、当該決済カード７へデータの書込みを行ったりする。ここに、決済カードコントローラ４３及びカード無線通信部８は、媒体読み書き手段を構成する。
【００２４】
キーボードコントローラ３９は、キーボード２１を制御して操作キーに対応したキー信号を取り込む。キーボード２１には、図４に示すように、数値データを置数入力するための置数キー５１の他、クリアキー５２、乗算キー５３、小計キー５４、客層別の締めキー５５、カードキー５６、責任者キー５７、取消キー５８、ＰＬＵ（Price Look Up）キー５９及びサービス入金キー６０等の各種ファンクションキーが配設されている。
【００２５】
サービス入金キー６０は、サービス入金処理の開始を指令するファンクションキーである。サービス入金処理とは、顧客がカード載置部２６に置いた決済カード７に、この顧客から提出されたサービス券の金額を入金する処理であり、本実施の形態では、図６に示す会員用サービス券７１と、図７に示す店舗用サービス券７２の２種類がある。いずれのサービス券７１，７２も、決済カード７の金額データに追加される入金額の他、入金の有効期限（取扱開始日〜取扱終了日）等が設定されている。
【００２６】
会員用サービス券７１は、決済カード７を利用している会員に対して定期的に特典として配布される券であって、入金額は例えば会員毎に決済カード７の利用頻度等によって適宜決定される。この券７１には、券種を識別する券コードをバーコード化したバーコードシンボルが印刷されている。バーコードシンボルには、サービス券であることを識別するためのフラグコードの他、入金額のデータが含まれている。ここに、このバーコードシンボルを読取り可能なバーコードスキャナは、コード取得手段を構成する。
【００２７】
店舗用サービス券７２は、特定のキャンペーン期間中に店舗で買物をした顧客に対して配布される券であって、入金額は券種毎に固定である。この券７２は、例えばＰＯＳ端末１において自動的に実行されるくじに当選した顧客の買上レシートに印刷されて提供される。会員用サービス券７１に見られるようなバーコードシンボルは印刷されていない。
【００２８】
ＲＡＭ３４には、図５に示すように、カード番号，決済金額，決済日時及び責任者コードの各項目からなるカード決済データを蓄積保持するカード決済メモリ６１や、カード番号，入金額，種別，入金日時及び責任者コードの各項目からなるカード入金データを蓄積保持するカード入金メモリ６２等に加えて、サービス券テーブル６３が形成されている。
【００２９】
このサービス券テーブル６３は、券コード，券名称，入金額，種別，取扱開始日及び取扱終了日の各項目からなるサービス券データを記憶保持するもので、例えば毎営業日の開店前に店舗本部のホストコンピュータ２から最新のサービス券データがダウンロードされるようになっている。なお、サービス券データにおいて、項目「種別」は、対応する券コードによって特定されるサービス券が会員用サービス券７１なのか店舗用サービス券７２なのかを識別するデータであって、本実施の形態では、会員用サービス券７１であることを示す種別データを「会員」とし、店舗用サービス券７２であることを示す種別データを「店舗」としている。因みに、種別データが「会員」の会員用サービス券７１は、そのバーコードに入金額が設定されているので、サービス券データには項目「入金額」のデータが設定されていない。ここに、サービス券テーブル６３は、サービス券記憶手段を構成している。
【００３０】
さて本実施の形態において、ＰＯＳ端末１１は、モードスイッチ４４により「登録」モードが選択されている状態で、カードキー５６が押下されると、決済カード７に記憶された金額データの読み込みが指令されたので、ＣＰＵ３１が図８の流れ図に示すカードキー入力処理を実行するようにプログラム構成されている。
【００３１】
すなわちＣＰＵ３１は、キーボードコントローラ３９が取り込んだキー信号によりカードキー５６が押下されたことを検知すると、ＳＴ１としてモードスイッチ４４により選択されている業務モードを調べる。そして、Ｉ／Ｏポート３８への入力信号により「登録」モードが選択されていることを確認した場合には、ＳＴ２として１商取引として売上げる商品の登録中か否かを判断する。例えば、１商取引として売上げる１点目の商品情報入力に応じてセットされ、当該商取引の締め入力に応じてリセットされる登録中フラグをチェックして、商品登録中か否かを判断する。ここで、商品登録中であると判断した場合には、１客との取引処理中に決済カード７に記憶された金額データの読み込みが指令されたので、図９に具体的に示すカード決済処理を実行する。
【００３２】
先ず、ＣＰＵ３１は、ＳＴ１１としてカード決済用のカード待ち画面を正面タッチパネル２２及び客面タッチパネル２５に表示させる。すなわち、客面タッチパネル２５には、顧客に対して決済カード７をカード載置部２６に置くように指示するメッセージを少なくとも表示させ、正面タッチパネル２２には、キャッシャに対して決済カード７をカード載置部２６に置くように顧客に指示することを促すメッセージを少なくとも表示させる。
【００３３】
次に、ＣＰＵ３１は、ＳＴ１２としてカード無線通信部８により決済カード７との無線通信が行われるのを待機する。ここで、所定時間内に決済カード７との無線通信が成功しなかった場合には、このカード決済処理をエラーとする。
【００３４】
決済カード７との無線通信が成功し、当該カード７からカード番号と金額データを取り込んだならば、ＣＰＵ３１は、ＳＴ１３として正面タッチパネル２２及び客面タッチパネル２５の画面を現在残高確認画面に変更する。そして、この現在残高確認画面に、少なくとも決済カード７から読取った金額データを当該カード7の現在残高として表示させる。
【００３５】
次に、ＣＰＵ３１は、ＳＴ１４として支払処理が済んでいない商取引の商品売上代金である決済金額と当該カード7の現在残高とを比較する。その結果、決済金額に対して現在残高が不足している場合には、決済カード７での決済ができないので、このカード決済処理をエラーとする。
【００３６】
現在残高が決済金額以上ある場合には、決済カード７での決済が可能なので、ＣＰＵ３１は、ＳＴ１５として現在残高から決済金額を減じた金額を引落し後残高として正面タッチパネル２２及び客面タッチパネル２５の画面に表示させる。そして、ＳＴ１６として締めキー５５の入力により一商取引の締めが宣言されるのを待機する。
【００３７】
締めキー５５が入力されたことを検知すると、ＣＰＵ３１は、ＳＴ１７として決済カードコントローラ４３の制御によりカード無線通信部８が決済カード７と無線通信を行って、当該カード７の金額データを引落し後残高の金額データに書換える。また、ＳＴ１８としてプリンタ４６を駆動させて、当該商取引の買上レシートを印字発行させる。さらに、ＳＴ１９としてＩ／Ｏポート３８から開放指令信号をドロワ４５に出力して、ドロワ４５を自動開放させる。しかる後、ＳＴ２０としてカード番号及び決済金額と、時計部３５から読取った決済日時と、サインオンされた責任者コードの各項目データをカード決済データとしてカード決済メモリ６１に格納したならば、このカード決済処理を終了する。
【００３８】
なお、締めキー５５でなく、ＳＴ２１として取消キー５８が入力されたことを検知した場合には、決済カード７での決済が取消されたので、ＳＴ１７〜ＳＴ２０の各処理を行うことなく、このカード決済処理を終了する。
【００３９】
一方、図８中ＳＴ２にて、商品登録中でないと判断した場合には、１客との取引処理中でないときに決済カード７に記憶された金額データの読み込みが指令されたので、残高確認・入金処理を実行する。
【００４０】
先ず、ＣＰＵ３１は、ＳＴ３としてカード入金用のカード待ち画面を正面タッチパネル２２及び客面タッチパネル２５に表示させる。正面タッチパネル２２側のカード入金用カード待ち画面の一例を図１３に示す。このカード待ち画面には、決済カード７のカード番号及び金額データ（現在残高）の他、入金可能額，入金金額，お預り金額，お釣り及び入金後残高の各データを表示させるエリアが形成されている。また、残高印刷ボタンＢ１、中止ボタンＢ２及び戻るボタンＢ３の各タッチボタンが表示されている。さらに、キャッシャに対して決済カード７をカード載置部２６に置くように顧客に指示することを促すメッセージＭ１が表示されている。因みに、客面タッチパネル２５側の残高確認・入金用カード待ち画面にも、同様なデータ表示エリアが形成されている。ただし、タッチボタンは表示されていない。また、メッセージＭ１の内容も顧客に対して決済カード７をカード載置部２６に置くように指示する内容となる。
【００４１】
カード待ち画面を表示後、ＣＰＵ３１は、ＳＴ４としてカード無線通信部８により決済カード７との無線通信が行われるのを待機する。ここで、所定時間内に決済カード７との無線通信が成功しなかった場合には、この残高確認・入金処理をエラーとする。また、この待機期間中に、中止ボタンＢ２または戻るボタンＢ３のタッチ入力を検知した場合には、この残高確認・入金処理を終了する。
【００４２】
決済カード７との無線通信が成功し、当該カード７からカード番号と金額データを取り込んだならば、ＣＰＵ３１は、ＳＴ５として正面タッチパネル２２及び客面タッチパネル２５の画面を現在残高表示画面に変更する。正面タッチパネル２２側の現在残高表示画面の一例を図１４に示す。この現在残高表示画面には、カード待ち画面と同一項目のデータ表示エリアが形成されている。また、残高印刷ボタンＢ１、中止ボタンＢ２，戻るボタンＢ３に加えて、確定ボタンＢ４，置数ボタンＢ５，クリアボタンＢ６及び入力ボタンＢ７の各タッチボタンが表示されている。ＣＰＵ３１は、カード番号エリアに決済カード７から読取ったカード番号を表示させ、現在残高エリアに当該カード７から読取った金額データを表示させる。また、予め設定された決済カード７の上限金額（この例では５万円）から現在残高を減算した金額を、１回の入金処理で入金可能な上限金額（以下、入金可能額と称する）として算出し、この入金可能額を入金可能額エリアに表示させる。
【００４３】
現在残高表示画面を表示後、ＣＰＵ３１は、ＳＴ６〜ＳＴ１０としてキーボード２１上のサービス入金キー６０が入力されるか、正面タッチパネル２２上のいずれかのタッチボタンがタッチ入力されるのを待機する。ここで、中止ボタンＢ２のタッチ入力を検知した場合には、この残高確認・入金処理を終了する。戻るボタンＢ３のタッチ入力を検知した場合には、ＳＴ３のカード待ち画面表示状態に戻る。
【００４４】
ＳＴ６〜ＳＴ１０の入力待機状態において、残高印刷ボタンＢ１のタッチ入力を検知した場合には、ＣＰＵ３１は、残高確認処理を実行する。すなわち、プリンタ４６を駆動させて、決済カード７から読取った金額データ（カード残高）をカード番号等とともにレシート用紙に印刷して、決済カード残高レシートを発行する。そして発行後、ＳＴ６〜ＳＴ１０の入力待機状態に戻る。
【００４５】
ＳＴ６〜ＳＴ１０の入力待機状態において、置数ボタンＢ５のタッチ入力により数値データが置数された後、入力ボタンＢ７のタッチ入力を検知した場合には、決済カード７に追加する金額データが入力されたので、ＣＰＵ３１は、図１０に具体的に示すカード入金処理を実行する。
【００４６】
先ず、ＣＰＵ３１は、ＳＴ３１として置数ボタンＢ５のタッチ入力により置数された数値データ（入金額）が入金可能額以下か否かを判断する。ここで、数値データが入金可能額を超える場合には、入金可能額を超える金額の追加が指示されたので、ＳＴ６〜ＳＴ１０の入力待機状態に戻る。このとき、入金エラーを示すメッセージ（例えば「チャージ限度額をオーバーとています」）を、クリアキー５２が入力されるまで正面タッチパネル２２及び客面タッチパネル２５に表示させる。
【００４７】
数値データ（入金額）が入金可能額以下の場合には、入金可能額以下の金額の追加が指示されたので、ＣＰＵ３１は、ＳＴ３２として現在残高表示画面の入金額エリアにその入金額を表示する。また、現在残高に入金額を加算した金額を算出し、入金後残高として現在残高表示画面の入金後残高エリアに表示する。しかる後、ＳＴ３３〜ＳＴ３５として正面タッチパネル２２上のいずれかのタッチボタンが入力されるのを待機する。ここで、中止ボタンＢ２のタッチ入力を検知した場合には、残高確認・入金処理を終了する。戻るボタンＢ３のタッチ入力を検知した場合には、入金額及び入金後残高を消去した後、ＳＴ６〜ＳＴ１０の入力待機状態に戻る。
【００４８】
置数ボタンＢ５のタッチ入力により数値データが置数された後、入力ボタンＢ７のタッチ入力を検知した場合には、入金額に対して客から預った預り金額が入力されたので、ＣＰＵ３１は、ＳＴ３６として数値データ（預り金額）が入金金額以上か否かを判断する。数値データ（預り金額）が入金額に満たない場合には、預り金額が不足しているので、ＳＴ３３に戻り、再び正面タッチパネル２２のタッチボタンが入力されるのを待機する。
【００４９】
数値データ（預り金額）が入金額以上の場合には、入金額の追加が可能なので、ＣＰＵ３１は、ＳＴ３７として現在残高表示画面の預り金額エリアに預り金額を表示する。また、預り金額から入金額を減算した金額を釣銭額として釣銭額エリアに表示する。しかる後、ＳＴ３８〜ＳＴ４０として正面タッチパネル２２上のいずれかのタッチボタンが入力されるのを待機する。ここで、中止ボタンＢ２のタッチ入力を検知した場合には、残高確認・入金処理を終了する。戻るボタンＢ３のタッチ入力を検知した場合には、入金額，預り金額及び入金後残高を消去した後、ＳＴ６〜ＳＴ１０の入力待機状態に戻る。
【００５０】
確定ボタンＢ４のタッチ入力を検知した場合には、ＣＰＵ３１は、ＳＴ４１として客面タッチパネル２５の画面を顧客確認画面に切換える。この顧客確認画面の一例を図１５に示す。図示するように、顧客確認画面には、入金額及び預り金額の表示エリアと、確認ボタンＰとが表示されている。ＣＰＵ３１は、表示エリアに入金額と預り金額とを表示させる。
【００５１】
その後、ＣＰＵ３１は、ＳＴ４２〜ＳＴ４４として客面タッチパネル２５上の確認ボタンＰ若しくは正面タッチパネル２２上のいずれかのタッチボタンが入力されるのを待機する。ここで、中止ボタンＢ２のタッチ入力を検知した場合には、残高確認・入金処理を終了する。戻るボタンＢ３のタッチ入力を検知した場合には、入金額，預り金額及び入金後残高を消去した後、ＳＴ６〜ＳＴ１０の入力待機状態に戻る。
【００５２】
客面タッチパネル２５上の確認ボタンＰのタッチ入力を検知した場合には、ＣＰＵ３１は、ＳＴ４５として正面タッチパネル２２及び客面タッチパネル２５の画面を、図１６に示す入金決済画面に切換える。この状態で、ＳＴ４６として締めキー５５の入力を待機する。そして、締めキー５５の入力を検知すると、ＣＰＵ３１は、ＳＴ４７として決済カードコントローラ４３の制御によりカード無線通信部８が決済カード７と無線通信を行って、当該カード７の金額データを、先に算出した入金後残高の金額データに書換える。また、ＳＴ４８としてプリンタ４６を駆動させて、入金額，預り金額及び釣銭額と、入金後残高，カード番号，カード取引連番，端末取引連番等のカード入金情報が印刷された決済カード残高レシートを発行させる。さらに、ＳＴ４９としてＩ／Ｏポート３８から開放指令信号をドロワ４５に出力して、ドロワ４５を自動開放させる。その後、ＳＴ５０としてカード番号及び入金額と、種別「現金」と、時計部３５から読取った入金日時と、サインオンされた責任者コードの各項目データをカード入金データとしてカード入金メモリ６２に格納したならば、残高確認・入金処理を終了する。
【００５３】
ＳＴ６〜ＳＴ１０の入力待機状態において、キーボードコントローラ３９が取り込んだキー信号によりサービス入金キー６０が押下されたことを検知した場合には、サービス券７１又は７２による決済カード７への入金が指示されたので、図１１に具体的に示すサービス入金処理を実行する。
【００５４】
先ず、ＣＰＵ３１は、ＳＴ５１としてサービス券選択画面を正面タッチパネル２２に表示させる。サービス券選択画面の一例を図１７に示す。このサービス券選択画面には、サービス券種別と金額のリスト表示エリアＬと、中止ボタンＢ２とが表示されている。
【００５５】
リスト表示エリアＬには、ＣＰＵ３１が図１２の流れ図に示す券選択画面表示処理を実行することによりサービス券テーブル６３から選択した券名称のボタンＢ８と、その入金額データとが表示される。すなわちＣＰＵ３１は、ステップＳＴ７１〜７３としてサービス券テーブル６３に設定されている券データの中から種別が「店舗」で現在日が有効期限内の券データの券名称と入金額を順次選択し、ＳＴ７４としてその券名称のボタンＢ８をサービス券種別エリアに、入金額をそれに対応する金額エリアにそれぞれ表示させる（サービス券表示手段）。
【００５６】
次に、ＣＰＵ３１は、ＳＴ５２として会員用サービス券７１のバーコードがスキャニングされるか、ＳＴ５３，ＳＴ５４としてサービス券選択画面上のいずれかのタッチボタンがタッチ操作されるのを待機する。ここで、中止ボタンＢ２のタッチ入力を検知した場合には、残高確認・入金処理を終了する。
【００５７】
バーコードスキャナ２３により会員用サービス券７１のバーコードがスキャニングされた場合、すなわちスキャニングされたバーコードのフラグが会員用サービス券７１の券コードを示すフラグであるときには、ＣＰＵ３１は、ＳＴ５５としてそのバーコードから読取った券コードでサービス券テーブル６３を検索して、その券コードに対応する有効期限データを取得する。そして、現在日付が有効期限内か否かを判断する（有効期限判断手段）。ここで、現在日付が有効期限切れの場合には、ＳＴ５１の処理に戻る。このとき、有効期限切れエラーを示すメッセージ（例えば「このサービス券は引換有効期限を過ぎており、お取扱できません」）を、クリアキー５２が入力されるまで正面タッチパネル２２及び客面タッチパネル２５に表示させる。
【００５８】
現在日付が有効期限内の場合には、ＣＰＵ３１は、ＳＴ５６としてその券コードに含まれるサービス入金額を取得する（入金額取得手段）。そして、ＳＴ５７としてこのサービス入金額が入金可能額以下か否かを判断する。ここで、サービス入金額が入金可能額を超える場合には、ＳＴ５１の処理に戻る。このとき、前記入金エラーを示すメッセージを、クリアキー５２が入力されるまで正面タッチパネル２２及び客面タッチパネル２５に表示させる。
【００５９】
サービス入金額が入金可能額以下の場合には、ＣＰＵ３１は、ＳＴ５８として正面タッチパネル２２及び客面タッチパネル２５の画面をサービス入金額表示画面に変更する。正面タッチパネル２２側のサービス入金額表示画面の一例を図１８に示す。このサービス入金額表示画面には、現在残高表示画面と同一項目のデータ表示エリアが表示されている。また、中止ボタンＢ２及び確定ボタンＢ４の各タッチボタンが表示されている。ＣＰＵ３１は、カード番号エリアに決済カード７から読取ったカード番号を表示させ、現在残高エリアに当該カード７の現在残高を表示させ、入金可能額エリアに現在残高から算出した入金可能額を表示させる。また、サービス入金額を入金額エリア及び預り金額エリアに表示するとともに、そのサービス入金額を現在残高に加算した金額を入金後残高エリアに表示させる。その後、ＣＰＵ３１は、ＳＴ５９としてサービス入金キー６０が再度入力されるか、ＳＴ６０またはＳＴ６１としてサービス入金額表示画面の中止ボタンＢ２または確定ボタンＢ４がタッチ入力されるのを待機する。
【００６０】
一方、券選択画面の券名称ボタンＢ８がタッチ入力されたことを検知した場合には（券選択手段）、ＣＰＵ３１は、ＳＴ５６の処理に進む。すなわち、タッチ入力された券名称ボタンＢ８に設定されている券名称データに対応するサービス入金額データをサービス券テーブル６３から取得する（入金額取得手段）。そして、前記と同様に、ＣＰＵ３１は、このサービス入金額が入金可能額以下か否かを判断し、サービス入金額が入金可能額を超える場合には、入金エラーを示すメッセージを正面タッチパネル２２及び客面タッチパネル２５に表示させて、ＳＴ５１の処理に戻る。
【００６１】
サービス入金額が入金可能額以下の場合には、ＣＰＵ３１は、正面タッチパネル２２及び客面タッチパネル２５の画面をサービス入金額表示画面に変更し、この画面の入金額エリア及び預り金額エリアにサービス入金額を表示させる。また、現在残高にサービス入金額を加算した金額を算出し、入金後残高として現在残高表示画面の入金後残高エリアに表示させる。その後、ＣＰＵ３１は、サービス入金キー６０が再度入力されるか、サービス入金額表示画面の中止ボタンＢ２または確定ボタンＢ４がタッチ入力されるのを待機する。
【００６２】
ここで、中止ボタンＢ２のタッチ入力を検知した場合には、残高確認・入金処理を終了する。
【００６３】
サービス入金キー６０の入力を検知した場合には、２枚目のサービス券７１又は７２による同一決済カード７への入力が指令されたので、ＣＰＵ３１は、ＳＴ６２として１枚目のサービス券７１又は７２の券コード，入金額及び種別をＲＡＭ３３に一時記憶した後、ＳＴ５１に戻る。そして、サービス券７１に印刷されたバーコードのスキャニングまたはサービス券７２に対応する券名称ボタンＢ８のタッチ入力が行なわれたならば、上記と同様に制御する。このとき、入金可能額は、予め設定された決済カード７の上限金額から現在残高と１枚目のサービス券の入金額とを加算した金額、つまりは上限金額から入金後残高を減算した金額となる。
【００６４】
一方、確定ボタンＢ４のタッチ入力を検知した場合には、ＣＰＵ３１は、ＳＴ６３として客面タッチパネル２５の画面を顧客確認画面に切換える。この顧客確認画面の一例を図１９に示す。図示するように、顧客確認画面には、入金額の表示エリアと、確認ボタンＰとが表示されている。ＣＰＵ３１は、表示エリアにバーコードのスキャニングによって入力されたサービス券７１の入金額または券名称ボタンＢ８の選択操作により入力されたサービス券７２の入金額を表示させる。なお、複数枚のサービス券が使用された場合には、その合計金額を表示させる。
【００６５】
その後、ＣＰＵ３１は、ＳＴ６４，ＳＴ６５として客面タッチパネル２５上の確認ボタンＰ若しくは正面タッチパネル２２上の中止ボタンＢ２が入力されるのを待機する。ここで、中止ボタンＢ２のタッチ入力を検知した場合には、残高確認・入金処理を終了する。
【００６６】
確認ボタンＰのタッチ入力を検知した場合には、ＣＰＵ３１は、ＳＴ６６として正面タッチパネル２２及び客面タッチパネル２５の画面を、図１６と同様の入金決済画面に切換える。この状態で、ＳＴ６７として締めキー５５の入力を待機する。そして、締めキー５５の入力を検知すると、ＣＰＵ３１は、ＳＴ６８として決済カードコントローラ４３の制御によりカード無線通信部８が決済カード７と無線通信を行って、当該カード７の金額データを、先に算出した入金後残高の金額データに書換える（入金処理手段）。
【００６７】
また、ＳＴ６９としてプリンタ４６を駆動させて、図２０に示すように、サービス券毎の入金額及び預り金額と、入金後残高，カード番号，カード取引連番，端末取引連番等のカード入金情報が印刷された決済カード残高レシートを発行させる。その後、ＳＴ７０としてサービス券毎にカード番号及びサービス入金額と、種別「会員」又は「店舗」と、時計部３５から読取った入金日時と、サインオンされた責任者コードの各項目データをカード入金データとしてカード入金メモリ６２に格納したならば、残高確認・入金処理を終了する。
【００６８】
このように本実施の形態においては、ＰＯＳ端末１１に、決済カード７との間で無線通信を行うことにより、当該カード７に記憶されたデータの読取り及び当該カード７へのデータの書込みを行う決済カードコントローラ４３及びカード無線通信部８を備えている。また、決済カード７に記憶されたデータの読み込みを指令するカードキー５６をキーボード２１に設けている。そして、カードキー５６が入力されると、１客との取引処理中か否かを判断し、取引処理中の場合にはカード決済処理を実行し、取引処理中でない場合には残高確認・入金処理を実行するようになっている。
【００６９】
カード決済処理が実行されると、カード載置部２６に置かれた決済カード７に記憶された金額データが、商品売上代金に相当する決済金額分減算された金額（引落し後金額）に自動的に更新される。また、カード番号，決済金額，決済日時及び責任者コードのカード決済データがカード決済メモリ６１に格納される。したがって、カード決済メモリ６１には、代金支払処理に使用された決済カード７のカード番号と、その決済金額及び決済日時と、決済を担当したキャッシャの責任者コードのカード決済データが蓄積される。
【００７０】
一方、残高確認・入金処理を実行されると、カード載置部２６に置かれた決済カード７に記憶された金額データの読み取りが可能となる。また、金額データ（入金額）の入力が可能となる。そして、入金額が入力されると、カード入金処理が実行される。
【００７１】
カード入金処理が実行されると、入金額に対して客から預る預り金額の入力が可能となる。そして、預り金額が入力されると、客面タッチパネル２５に入力内容（入金額，預り金額）の確認を顧客に促す確認ボタンＰが表示される。ここで、顧客が確認ボタンＰをタッチ入力すると、カード載置部２６に置かれた当該顧客の決済カード７の金額データが、入金金額分を加算した金額に増額される。また、カード番号，入金金額，入金日時及び責任者コードのカード入金データがカード入金メモリ６２に格納される。したがって、カード入金メモリ６２には、入金処理された決済カード７のカード番号と、その入金金額及び入金日時と、入金処理したキャッシャの責任者コードのカード入金データが蓄積される。
【００７２】
カード決済メモリ６１及びカード入金メモリ６２に蓄積されたデータは、例えばストアコントローラ１２に１日に１回送信され、さらに、店舗本部のホストコンピュータ２を経由してカード管理会社のホストコンピュータ３に送信される。カード管理会社のホストコンピュータ３は、各店舗システム１のＰＯＳ端末１１から収集したカード決済データ及びカード入金データを分析することによって、決済カード７の利用状況等を管理することができる。
【００７３】
また、本実施の形態では、サービス券７１又は７２に設定された金額データを決済カード７に入金することができる。すなわち、残高確認・入金処理において、サービス入金キー６０を操作すると、サービス入金処理が実行される。ここで、会員用サービス券７１に印刷されているバーコードをバーコードスキャナ２３でスキャニング操作すると、その会員用サービス券７１に設定されている入金額が、カード載置部２６に置かれている決済カード７に入金される。ただし、会員用サービス券７１の有効期限が切れている場合には、入金は拒絶される。
【００７４】
同様に、店舗用サービス券７２に対応する券名称ボタンＢ８をタッチ操作すると、その店舗用サービス券７２に設定されている入金額が、カード載置部２６に置かれている決済カード７に入金される。ただしこの場合も、店舗用サービス券７２の有効期限が切れている場合には、入金は拒絶される。
【００７５】
このように本実施の形態によれば、カード決済端末１３を用いなくても、決済カード７による商品代金の支払をＰＯＳ端末１１で処理することができる。また、カード入金機１４を用いなくても、決済カード７への入金をＰＯＳ端末１１で処理することができる。したがって、決済カード７によるプリペイド決済方式を導入する際にも、カード決済端末１３やカード入金機１４を不要にできる。また、カード決済データ及びカード入金データを、既存の通信経路であるストアコントローラ１２，店舗本部のホストコンピュータ２を経由してカード管理会社のホストコンピュータ３に送信できるので、ルータ１５及び第２のＬＡＮ１８や第２のＷＡＮ５も不要にできる。したがって、店舗の設備コストを大幅に低減できる上、設置スペースが不足するような問題も生じ得ない。
【００７６】
また、決済カード７の現在残高もＰＯＳ端末１１を利用して容易に確認することができる。この場合において、現在残高を記録した残高レシート７０を決済カード所持者に渡すことができるので、サービス性がよい。また、残高確認処理が行われた後、カードキー５６を入力しなくてもその残高を確認したカード７に対する入金処理が可能である。したがって、残高レシート７０で現在残高を確認した決済カード所持者が、決済カード７を再びカード載置部２６に置かなくても当該カード７に入金できるので、残高確認及び入金の処理を効率よく継続して行える利点もある。
【００７７】
また、バーコードのスキャニングあるいはタッチボタンのワンタッチ操作の簡単な操作によって、会員用サービス券７１又は店舗用サービス券７２に設定された金額データを決済カード７に入金できるので、これらのサービス券を用いた入金サービスを実施する場合にもキャッシャの操作が煩雑になることはない。したがって、決済カード７の普及に入金のためのサービス券を有効に活用することができる。
【００７８】
しかも、サービス入金処理において、決済カード７の金額データをサービス券の入金額分増額する前に、顧客に入金額の確認をさせ、承認を得るようにしている。したがって、キャッシャの操作ミス等や不正によってサービス券の金額が決済カード７に入金されないのを未然に防ぐことができる。
【００７９】
なお、前記実施の形態では、券選択画面には有効期限内の店舗用サービス券７２を抽出してその券名称ボタンＢ８を表示させたが、有効期限切れか否かに拘らずサービス券テーブル６３に設定されている全ての店舗用サービス券７２の券名称ボタンＢ８を表示させてもよい。つまり、図１２に示す券選択画面表示処理のＳＴ７３の処理を省略してもよい。ただし、この場合には、図１１に示すサービス入金処理において、ＳＴ５３にて券選択ボタンＢ８の入力有りのとき、ＳＴ５５の有効期限判断処理に進み、選択された店舗用サービス券７２の有効期限が切れているか否かを判断する（有効期限判断手段）。
【００８０】
また、前記実施の形態では、図１１に示すサービス入金処理において、ＳＴ５５の処理でサービス券が有効期限切れか否かを判断し、有効期限切れでない場合に、ＳＴ５６の処理でそのサービス券の入金額を取得したが、サービス券の入金額を取得した後、そのサービス券が有効期限切れか否かを判断し、有効期限切れでない場合に、そのサービス券の入金額を決済カード７に入金するようにしてもよい。
【００８１】
また、前記実施の形態では、ＰＯＳ端末１１内で決済カード７から読取った残高データに入金額を加算したり支払金額を減算したりして残高データを変更し、変更された残高データを決済カード７に送信して、決済カード７の残高データを書換えたが、カード自体が演算処理機能を有している場合には、ＰＯＳ端末１１からカードに入金額データや支払金額データを送信し、カード内部で残高データを入金額分加算した金額や支払金額分減算した金額に変更するように構成することも可能である。
【００８２】
また、前記実施の形態では、サービス券としてバーコードが印刷された会員用サービス券７１と、バーコードが印刷されていない店舗用サービス券７２の２種類を示したが、サービス券の種類はこれに限定されるものではない。また、ＰＯＳ端末１１のレシートプリンタ４６がバーコード印刷機能を有しているものであれば、店舗用サービス券７２にもバーコードを印刷するようにして、全てのサービス券の券コードをバーコードで入力するようにしてもよい。
【００８３】
また、会員に会員用サービス券７１を配布する代わりに、会員用サービス券７１のイメージを電子化した会員用サービス券データを当該会員が所有する携帯電話やＰＤＡ等の携帯機器に配信し、このサービス券データを基に会員用サービス券７１のイメージを携帯機器の表示部に表示させて、この会員用サービス券７１のイメージからコードをスキャナ２３で読取ることによりサービス券データのコードを取得するようにしてもよい。同様に、店舗用サービス券７２を顧客の買上レシートに印刷する代わりに店舗用サービス券７２のイメージを電子化した店舗用サービス券データを当該顧客が所有する携帯機器に配信し、このサービス券データを基に店舗用サービス券７２のイメージを携帯機器の表示部に表示させて、その表示を確認した店員がサービス券選択画面の該当するタッチボタンをタッチ操作するようにしてもよい。
【００８４】
また、前記実施の形態では、金額データを記憶する記憶媒体を非接触型ＩＣカードとしたが、接触型ＩＣカード，磁気カード，ＲＡＭカード等であってもよい。また、記憶媒体はカード状である必要もなく、携帯可能であればよい。
この他、本発明の要旨を逸脱しない範囲で種々変形実施可能であるのは勿論である。
【００８５】
【発明の効果】
以上詳述したように本発明によれば、記憶媒体に書換え自在に記憶された金額データをサービス券又はこのサービス券のイメージを電子化したサービス券データに設定された金額だけ増額することができ、記憶媒体の金額データを増額させるための専用装置を不要にできる上、入金のためのサービス券又はサービス券データを容易に取り扱うことができる商品販売データ処理装置を提供できる。
【図面の簡単な説明】
【図１】本発明の一実施の形態である決済システムの概略構成を示す図。
【図２】同実施の形態におけるＰＯＳ端末の外観斜視図。
【図３】同ＰＯＳ端末の要部構成を示すブロック図。
【図４】同ＰＯＳ端末のキーボードを示す図。
【図５】同ＰＯＳ端末の主要なメモリエリアを示す図。
【図６】同実施の形態で使用されるサービス券の一例を示す模式図。
【図７】同実施の形態で使用されるサービス券の他の例を示す模式図。
【図８】同ＰＯＳ端末のＣＰＵが実行するカードキー入力処理を示す流れ図。
【図９】図８におけるカード決済処理を具体的に示す流れ図。
【図１０】図８におけるカード入金処理を具体的に示す流れ図。
【図１１】図８におけるサービス入金処理を具体的に示す流れ図。
【図１２】図１１における券選択画面表示処理を具体的に示す流れ図。
【図１３】同ＰＯＳ端末の正面タッチパネルに表示されるカード待ち画面の一例を示す図。
【図１４】同ＰＯＳ端末の正面タッチパネルに表示される現在残高表示画面の一例を示す図。
【図１５】同ＰＯＳ端末の客面タッチパネルに表示される顧客確認画面の一例を示す図。
【図１６】同ＰＯＳ端末の正面タッチパネルに表示される入金決済画面の一例を示す図。
【図１７】同ＰＯＳ端末の正面タッチパネルに表示される券選択画面の一例を示す図。
【図１８】同ＰＯＳ端末の正面タッチパネルに表示されるサービス入金額表示画面の一例を示す図。
【図１９】同ＰＯＳ端末の客面タッチパネルに表示される顧客確認画面の一例を示す図。
【図２０】同ＰＯＳ端末より印字発行されるサービス入金レシートの一例を示す図。
【図２１】従来の決済システムの概略構成を示す図。
【符号の説明】
１…店舗システム、２…店舗本部ホストコンピュータ、３…カード管理会社ホストコンピュータ、７…決済カード、８…カード無線通信部、１１…ＰＯＳ端末、１２…ストアコントローラ、２２…正面タッチパネル、２３…スキャナ、２５…客面タッチパネル、２６…カード載置部、４３…決済カードコントローラ、５６…カードキー、６１…カード決済メモリ、６２…カード入金メモリ、６３…サービス券テーブル。
【図１】
2004206436.tif 000003
【図２】
2004206436.tif 000004
【図３】
2004206436.tif 000005
【図４】
2004206436.tif 000006
【図５】
2004206436.tif 000007
【図６】
2004206436.tif 000008
【図７】
2004206436.tif 000009
【図８】
2004206436.tif 000010
【図９】
2004206436.tif 000011
【図１０】
2004206436.tif 000012
【図１１】
2004206436.tif 000013
【図１２】
2004206436.tif 000014
【図１３】
2004206436.tif 000015
【図１４】
2004206436.tif 000016
【図１５】
2004206436.tif 000017
【図１６】
2004206436.tif 000018
【図１７】
2004206436.tif 000019
【図１８】
2004206436.tif 000020
【図１９】
2004206436.tif 000021
【図２０】
2004206436.tif 000022
【図２１】
2004206436.tif 000023